(57)【要約】【課題】電気の使用場所に近接する所望の場所に低コストで容易に建設することができ、維持、管理も容易な発電装置を提供する。【解決手段】軸１を下端１ａにて揺動自在に支持させ、該軸には支持アーム９を介して重り１１を突設し、該軸の上端を往復駆動手段１３に連結して往復動させることにより該軸を回転させ、該軸の回転により発電機１５を作動させるようにしてなる発電装置。軸を上端にて揺動自在に支持させ、該軸には支持アームを介して重りを突設し、該軸の下端を往復駆動手段に連結して往復動させることにより該軸を回転させ、該軸の回転により発電機を作動させるようにしてなる発電装置。【選択図】図１
2009071927.tif 000002
【特許請求の範囲】
【請求項１】
軸を下端にて揺動自在に支持させ、該軸には支持アームを介して重りを突設し、該軸の上端を往復駆動手段に連結して往復動させることにより該軸を回転させ、該軸の回転により発電機を作動させるようにしてなる発電装置。
【請求項２】
軸を上端にて揺動自在に支持させ、該軸には支持アームを介して重りを突設し、該軸の下端を往復駆動手段に連結して往復動させることにより該軸を回転させ、該軸の回転により発電機を作動させるようにしてなる発電装置。
【発明の詳細な説明】
【技術分野】
【０００１】
本発明は、発電装置に関するものである。
【背景技術】
【０００２】
発電装置としては、水力発電装置、火力発電装置、原子力発電装置等が既に知られている。
【０００３】
水力発電装置 は、高所にある水を落下させ、水の位置のエネルギーを圧力及び運動のエネルギーに変換することにより水車を回転させ、該水車に連結された発電機を回転させて発電するようにしたものである。
【０００４】
火力発電装置 は、石炭、重油等の燃料を用いてボイラにより高温・高圧の蒸気を作り、該蒸気により蒸気タービンを作動させ、該蒸気タービンにより発電機を回転させて発電するようにしたものである。
【０００５】
原子力発電装置 は、ウラン、プルトニウム等の核燃料が原子炉内で核分裂する際に発生する原子核エネルギーを熱として取り出し、この熱により蒸気を発生させて蒸気タービンを作動させ、該蒸気タービンにより発電機を回転させて発電するようにしたものである。
【０００６】
また、近年、例えば特開平１０−３１３１３０号公報に示すように、太陽光により電力を生じさせる太陽光発電装置も知られている。
【０００７】
更に、例えば特開２００６−９０２４６号公報に示すように、風力により電力を生じさせる風力発電装置も知られている。
【特許文献１】特開平１０−３１３１３０号公報
【特許文献２】特開２００６−９０２４６号公報
【発明の開示】
【発明が解決しようとする課題】
【０００８】
しかるに、上記従来の水力発電装置、火力発電装置、原子力発電装置等には下記の如き問題がある。
【０００９】
（イ）公害、環境破壊等の問題を生ずる。
（ロ）発電装置の建設費用、維持費用等が嵩む。
（ハ）発電装置を建設し得る場所が限定される。したがって、大掛かりな送電設備が必要となり、送電設備にも膨大な費用がかかる。
（ニ）発電装置の起動・停止に時間を要するため、電力の需要に応じて起動・停止を行なうことが困難である。
【００１０】
一方、太陽光発電装置、風力発電装置は、自然の太陽光、風を利用するものであるため、電力を需要に応じて安定的に、かつ、十分に供給することができないという問題がある。
【００１１】
本発明は、上記従来の発電装置における上述の如き問題を解決し、電気の使用場所に近接する所望の場所に低コストで容易に建設することができ、維持、管理も容易な発電装置を提供しようとしてなされたものである。
【課題を解決するための手段】
【００１２】
上記課題を解決するために、本発明は下記の発電装置を提供する。
【００１３】
（１）軸を下端にて揺動自在に支持させ、該軸には支持アームを介して重りを突設し、該軸の上端を往復駆動手段に連結して往復動させることにより該軸を回転させ、該軸の回転により発電機を作動させるようにしてなる発電装置（請求項１）。
【００１４】
（２）軸を上端にて揺動自在に支持させ、該軸には支持アームを介して重りを突設し、該軸の下端を往復駆動手段に連結して往復動させることにより該軸を回転させ、該軸の回転により発電機を作動させるようにしてなる発電装置（請求項２）。
【発明の効果】
【００１５】
本発明による発電装置は、構造が簡単であって、容易に建設することができる。したがって、建設費用を低く抑えることができ、維持、管理も容易であって少ない費用で行なうことができる。また、本発明による発電装置は、建設場所を選ぶものではないため、電気の使用場所に近接する所望の場所に作ることができる。したがって、送電設備に要する費用も低減することができる。また、発電装置の起動・停止も容易、かつ、瞬時に行うことが可能である。
【発明を実施するための最良の形態】
【００１６】
まず、図１に示す事例について説明する。
【００１７】
符号１に示すものは軸である。軸１は、下端１ａにて揺動自在に支持させる。  すなわち、一例として、軸１の下端１ａを自在継手３を介して基軸５に連結し、該基軸５を軸受７に支持させる。
【００１８】
軸１には支持アーム９を介して重り１１を突設する。支持アーム９は、好ましくは、軸１より直角方向に突設し、該支持アーム９の先端に重り１１を固定する。図３参照。なお、支持アーム９は、必ずしも軸１と直角に設ける必要はない。
【００１９】
軸１の上端１ｂを往復駆動手段１３に連結して往復動させることにより該軸１を回転させ、該軸１の回転により発電機１５を作動させる。
【００２０】
往復駆動手段１３は、一例として、移動不能の支軸１７に第一杆１９の一端１９ａを取り付け、該第一杆１９をチェーン等の伝動手段２１を介して内燃機関２３により回転させ、該第一杆１９の他端１９ｂに第二杆２５の一端２５ａを軸着し、該第二杆２５の他端２５ｂに軸支持体２７を軸着してなるものである。
【００２１】
軸支持体２７は、軸１の上端１ｂを回転自在に支持する。
【００２２】
この事例においては、軸１の上端１ｂは往復駆動手段１３により往復動する。すなわち、軸１は自在継手３を揺動中心として図１における左右方向に揺動する。このとき、軸１には支持アーム９を介して重り１１が突設されているため、軸１は揺動しつつ勢い良く回転する。図２参照。重り１１は、軸１が垂直に位置するとき（図１の実線参照）よりも、軸１が傾斜したとき（図１の鎖線参照）の方が位置が低くなる。換言すれば、軸１が回転するに伴い、重り１１は高位置（図１の実線参照）と低位置（図１の鎖線参照）とを繰り返し通過する。
【００２３】
軸１の回転は、自在継手３を介して基軸５に伝えられ、該基軸５の回転は発電機１５に伝えられ、該発電機１５が発電する。
【００２４】
次に、図４に示す事例について説明する。
【００２５】
図４に示す事例は、上記図１に示す事例を上下反転させたものである。図４に示す事例においては、図１に示す事例における部材、部分又は部品と同一ないし対応するものにつては、図１に示す事例における符号と同一の符号を用いる。
【００２６】
軸１は、上端１ｂにて揺動自在に支持させる。すなわち、一例として、軸１の上端１ｂを自在継手３を介して基軸５に連結し、該基軸５を軸受７に支持させる。
【００２７】
軸１には支持アーム９を介して重り１１を突設する。支持アーム９は、好ましくは、軸１より直角方向に突設し、該支持アーム９の先端に重り１１を固定する。なお、支持アーム９は、必ずしも軸１と直角に設ける必要はない。
【００２８】
軸１の下端１ａを往復駆動手段１３に連結して往復動させることにより該軸１を回転させ、該軸１の回転により発電機１５を作動させる。
【００２９】
往復駆動手段１３は、一例として、移動不能の支軸１７に第一杆１９の一端１９ａを取り付け、該第一杆１９をチェーン等の伝動手段２１を介して内燃機関２３により回転させ、該第一杆１９の他端１９ｂに第二杆２５の一端２５ａを軸着し、該第二杆２５の他端２５ｂに軸支持体２７を軸着してなるものである。
【００３０】
軸支持体２７は、軸１の下端１ａを回転自在に支持する。
【００３１】
なお、図４に示す事例においては、軸支持体２７の近傍に円弧状の案内レール２９を配設し、該軸支持体２７に回転自在に取り付けたローラー３１を該案内レール２９上に載置し、軸１の下端１ａが往復駆動手段１３により往復動するときに該ローラー３１が案内レール２９に沿って往復動するようにしている。
【００３２】
この事例においては、軸１の下端１ａは往復駆動手段１３により往復動する。すなわち、軸１は自在継手３を揺動中心として図４における左右方向に揺動する。このとき、軸１には支持アーム９を介して重り１１が突設されているため、軸１は揺動しつつ勢い良く回転する。図２参照。重り１１は、軸１が垂直に位置するとき（図４の実線参照）よりも、軸１が傾斜したとき（図４の鎖線参照）の方が位置が高くなる。換言すれば、軸１が回転するに伴い、重り１１は低位置（図４の実線参照）と高位置（図４の鎖線参照）とを繰り返し通過する。
【００３３】
軸１の回転は、自在継手３を介して基軸５に伝えられ、該基軸５の回転は発電機１５に伝えられ、該発電機１５が発電する。
【００３４】
上記いずれの事例においても、支持アーム９又は重り１１の平面図上の位置を検知する検知手段を設け、該検知手段に検知させた支持アーム９又は重り１１の平面図上の位置に応じて往復駆動手段１３の動作を調整することが望ましい。
【００３５】
本発明による発電装置は、地上に配設してもよいが、地下に配設しても差し支えない。
【図面の簡単な説明】
【００３６】
【図１】本発明による発電装置の一例を概略的に示す説明図である。
【図２】軸と重りの動きを示す平面図である。
【図３】軸の側面図である。
【図４】本発明による発電装置の別の一例を概略的に示す説明図である。
【符号の説明】
【００３７】
１  軸
１ａ  下端
１ｂ  上端
３  自在継手
５  基軸
７  軸受
９  支持アーム
１１  重り
１３  往復駆動手段
１５  発電機
１７  支軸
１９  第一杆
１９ａ  一端
１９ｂ  他端
２１  伝動手段
２３  内燃機関
２５  第二杆
２５ａ  一端
２５ｂ  他端
２７  軸支持体
２９  案内レール
３１  ローラー
【図１】
2009071927.tif 000003
【図２】
2009071927.tif 000004
【図３】
2009071927.tif 000005
【図４】
2009071927.tif 000006